(57)【要約】      （修正有）【課題】リアルタイムクロック電池の残量を容易に把握することが可能な電子機器を提供する。【解決手段】電子機器１００は、主電源１５と、電力の供給を受けている場合に時刻情報を更新するリアルタイムクロック１と、リアルタイムクロック１に電力を供給するリアルタイムクロック電池３と、主電源１５の電圧値を取得するＥＣ５と、リアルタイムクロック電池３とＥＣ５との間に配置され、リアルタイムクロック電池３とＥＣ５との電気的な接続状態を切り換えるスイッチ部９と、リアルタイムクロック電池３の残量に応じた報知を実行する報知部７と、を備え、ＥＣ５は、スイッチ部９によってリアルタイムクロック電池３と接続したときに、リアルタイムクロック電池３から入力を受け、リアルタイムクロック電池３の残量を計測する。【選択図】図１
2019211383.tif 000002
【特許請求の範囲】
【請求項１】
主電源と、
電力の供給を受けている場合に時刻情報を更新するリアルタイムクロックと、
前記リアルタイムクロックに電力を供給するリアルタイムクロック電池と、
前記主電源の電圧値を取得するＥＣ（Ｅｍｂｅｄｄｅｄ  Ｃｏｎｔｒｏｌｌｅｒ）と、
前記リアルタイムクロック電池と前記ＥＣとの間に配置され、当該リアルタイムクロック電池と当該ＥＣとの電気的な接続状態を切り換えるスイッチ部と、
前記リアルタイムクロック電池の残量に応じた報知を実行する報知部と、を備え、
前記ＥＣは、前記スイッチ部によって前記リアルタイムクロック電池と接続したときに、前記リアルタイムクロック電池から入力を受け、前記リアルタイムクロック電池の残量を計測する、
電子機器。
【請求項２】
前記報知部は、オペレーティングシステムの起動時に前記ＥＣで計測した前記リアルタイムクロック電池の残量の情報を前記ＥＣから取得し、当該取得した情報に応じた報知を実行可能にする、
請求項１に記載の電子機器。
【請求項３】
前記スイッチ部は、前記ＥＣのＧＰＩＯ（Ｇｅｎｅｒａｌ  Ｐｕｒｐｏｓｅ  Ｉｎｐｕｔ／Ｏｕｔｐｕｔ）に接続されている、
請求項１又は請求項２に記載の電子機器。
【請求項４】
前記リアルタイムクロック電池の残量を示す残量表示、及び、当該残量に基づいた警告表示の少なくとも一方を行う表示部を更に備え、
前記報知部は、前記リアルタイムクロック電池の残量に応じて異なる形態の前記残量表示及び前記警告表示の少なくとも一方が実行されるように前記表示部を制御する、
請求項１から請求項３のいずれか一項に記載の電子機器。
【請求項５】
１又は複数の発光素子を更に備え、
前記報知部は、前記リアルタイムクロック電池の残量に応じて当該残量を報知可能なように前記１又は複数の発光素子を制御する、
請求項１から請求項４のいずれか一項に記載の電子機器。
【発明の詳細な説明】
【技術分野】
【０００１】
本発明は、電子機器に関する。
【背景技術】
【０００２】
従来から、主電源となる電池から供給される電力を受けて駆動する携帯端末装置が知られている。
【０００３】
例えば、特許文献１には、使用状況に応じて装置の消費電力を演算し、その演算結果に基づいて装置の主電源となる電池の残量を報知する携帯用電子機器が記載されている。
【先行技術文献】
【特許文献】
【０００４】
【特許文献１】特開平３−１４５３４３号公報
【発明の概要】
【発明が解決しようとする課題】
【０００５】
ここで、特許文献１に記載されているような従来の携帯用電子機器においては、主電源となる電池がなくなった場合でも、揮発性メモリに格納されている時間情報、セキュリティ情報、及び電子機器の管理情報等が消失してしまうことを防止するために、バックアップ電源としてのリアルタイムクロック電池が搭載されている。
【０００６】
しかしながら、リアルタイムクロック電池の残量を確認するためには、電子機器自体を分解して、リアルタイムクロック電池が配置されている基板上でリアルタイムクロック電池の電圧をテスター等で直接検出するしかなかった。このように、リアルタイムクロック電池の残量を確認することは、容易ではなかった。
【０００７】
そこで、本発明のいくつかの態様はかかる事情に鑑みてなされたものであり、リアルタイムクロック電池の残量を容易に把握することが可能な電子機器を提供することを目的とする。
【課題を解決するための手段】
【０００８】
本発明の一態様に係る電子機器は、主電源と、電力の供給を受けている場合に時刻情報を更新するリアルタイムクロックと、リアルタイムクロックに電力を供給するリアルタイムクロック電池と、主電源の電圧値を取得するＥＣ（Ｅｍｂｅｄｄｅｄ  Ｃｏｎｔｒｏｌｌｅｒ）と、リアルタイムクロック電池とＥＣとの間に配置され、当該リアルタイムクロック電池と当該ＥＣとの電気的な接続状態を切り換えるスイッチ部と、リアルタイムクロック電池の残量に応じた報知を実行する報知部と、を備え、ＥＣは、スイッチ部によってリアルタイムクロック電池と接続したときに、リアルタイムクロック電池から入力を受け、リアルタイムクロック電池の残量を計測する。
【０００９】
この態様によれば、リアルタイムクロック電池の電圧値を測定し、測定した電圧値に基づくリアルタイムクロック電池の残量に応じた報知を実行する。よって、リアルタイムクロック電池の残量を容易に把握することが可能な電子機器を提供することができる。
【発明の効果】
【００１０】
本発明の上記態様によれば、リアルタイムクロック電池の残量を容易に把握することが可能な電子機器が提供される。
【図面の簡単な説明】
【００１１】
【図１】本発明の実施形態に係る電子機器の概略構成図（ブロック図）である。
【図２】本発明の実施形態に係るリアルタイムクロック電池の残量に応じた報知処理の一例を示すフローチャートである。
【図３】本発明の実施形態に係るリアルタイムクロック電池の残量テーブルに一例を示す図である。
【図４】本発明の実施形態に係る表示部の画面の一例を示す図である。
【図５】本発明の実施形態に係るリアルタイムクロック電池の残量に応じた報知の一例を示す図である。
【図６】本発明の実施形態に係るリアルタイムクロック電池の残量に応じた報知の一例を示す図である。
【発明を実施するための形態】
【００１２】
以下、添付図面を参照しながら本発明の実施の形態について説明する。以下の実施の形態は、本発明を説明するための例示であり、本発明をその実施の形態のみに限定する趣旨ではない。また、本発明は、その要旨を逸脱しない限り、様々な変形が可能である。さらに、各図面において同一の構成要素に対しては可能な限り同一の符号を付し、重複する説明は省略する。
【００１３】
まず、図１を参照しながら、本発明の実施形態に係る電子機器１００の概要について説明する。図１は、本発明の実施形態に係る電子機器１００の概略構成図（ブロック図）である。図１に示すように、電子機器１００は、例示的に、ＲＴＣ（Ｒｅａｌ  Ｔｉｍｅ  Ｃｌｏｃｋ：リアルタイムクロック）１と、ＲＴＣ電池３と、ＥＣ（Ｅｍｂｅｄｄｅｄ  Ｃｏｎｔｒｏｌｌｅｒ）５と、ＣＰＵ（Ｃｅｎｔｒａｌ  Ｐｒｏｃｅｓｓｉｎｇ  Ｕｎｉｔ）７と、スイッチ部９と、表示部１１と、発光素子１３と、主電源１５と、を備える。
【００１４】
ＲＴＣ１、ＥＣ５、ＣＰＵ７、表示部１１、発光素子１３、及び主電源１５はバスＢを介して互いに接続されてもよい。また、電子機器１００は、例えば、ノート型パーソナルコンピュータ、タブレット型パーソナルコンピュータ、又はスマートフォン等で構成されている。
【００１５】
ＲＴＣ１は、ＲＴＣ電池３から電力の供給を受けている場合に時刻情報を更新する。ＲＴＣ１は、例えば時計モジュールであり、主電源１５が電子機器１００から取り外され、又は、主電源１５がＯＦＦ状態になる場合であっても、ＲＴＣ電池３からの電力供給により、各種情報（例えば時刻情報、セキュリティ情報、及び電子機器の管理情報等）が保持されるレジスタ等を備えてもよい。
【００１６】
ＲＴＣ電池３は、ＲＴＣ１に電力を供給する。ＲＴＣ電池３は、例えば、ボタン型電池等の一次電池を含む。ＲＴＣ電池３は、主電源１５となる電池とは独立して電子機器１００に含まれる。ＲＴＣ電池３は、ＲＴＣ１と電気的に接続され、例えば、主電源１５が電子機器１００から取り外され、又は、主電源１５がＯＦＦ状態になる場合、ＲＴＣ１に電力を供給するように構成されてもよい。
【００１７】
ＥＣ５は、ＲＴＣ電池３の電圧値を測定する。ＥＣ５は、例えば、ＲＴＣ電池３からのアナログ信号をアナログ／デジタル変換処理して電圧値としてのデジタル信号に変換して出力するＡＤＣ（ＡＤコンバータ）４を備える。ＥＣ５は、ＥＣ５のＧＰＩＯ（Ｇｅｎｅｒａｌ  Ｐｕｒｐｏｓｅ  Ｉｎｐｕｔ／Ｏｕｔｐｕｔ）６に接続されたスイッチ部９においてＯＮ／ＯＦＦ制御を行うことにより、ＲＴＣ電池３とＥＣ５との電気的接続を制御する。このように、ＥＣ５は、スイッチ部９によってＲＴＣ電池３と接続したときに、ＲＴＣ電池３から入力を受け、ＲＴＣ電池３の残量を計測する。
【００１８】
ＥＣ５は、図１に示す主電源１５となる電池の電圧値を取得する。例えば、主電源１５の電池の電圧値は、不図示の主電源モジュールにおいて測定され、ＥＣ５は、主電源モジュールと通信することにより、測定された電圧値を当該主電源モジュールから取得してもよい。なお、主電源１５の電池の電圧値は、主電源モジュールではなくＥＣ５において測定されることにより取得されてもよい。
【００１９】
なお、例えば、ＥＣ５は、電力管理等を含む、電子機器１００の動作状態の管理を実行するためのＭＰＵ（Ｍｉｃｒｏ  Ｐｒｏｃｅｓｓｉｎｇ  Ｕｎｉｔ）であってもよい。また、ＥＣ５は、キーボード等の入力装置を制御するためのコントローラが内蔵されてもよい。
【００２０】
ＣＰＵ７は、電子機器１００の動作を制御するプロセッサであり、不図示のメモリ等に格納されているアプリケーション等の各種プログラムにしたがって各種の処理を実行する。例えば、ＣＰＵ７は、ＥＣ５が計測したＲＴＣ電池３の残量に応じた報知を実行する報知部として機能する。また、ＣＰＵ７は、ＯＳ（Ｏｐｅｒａｔｉｎｇ  Ｓｙｓｔｅｍ）のソフトウェアで残量を報知してもよい。例えば、ＣＰＵ７のＯＳは、ＯＳ起動時や電子機器のスリープ状態からの復帰時などにＥＣ５からＲＴＣ電池３の残量を取得し、取得した残量を報知してもよい。具体的に、ＣＰＵ７のＯＳ上で動作するアプリケーションは、ＯＳの起動時に、又は、スリープ状態からの復帰時に、ドライバを経由して、ＥＣ５で計測したＲＴＣ電池３の残量の情報をＥＣ５から取得し、当該取得した情報に応じた報知を実行可能にする。さらに、ＣＰＵ７は、ＲＴＣ電池３の残量が少ない場合は、ユーザに注意を促すメッセージをＯＳ上に表示してもよい。
【００２１】
スイッチ部９は、ＲＴＣ電池３とＥＣ５との間に配置され、ＲＴＣ電池３とＥＣ５との電気的な接続状態を切り換える。例えば、スイッチ部９は、ＥＣ５がＲＴＣ電池３の電圧値を測定する際に、ＲＴＣ電池３とＥＣ５とを電気的に接続する。
【００２２】
表示部１１は、ＲＴＣ電池３の残量を示す残量表示、及び、ＲＴＣ電池３の残量に基づいた警告表示の少なくとも一方を行う。表示部１１は、例えば、液晶ディプレイや有機ＥＬ（Ｅｌｅｃｔｒｏ  Ｌｕｍｉｎｅｓｃｅｎｃｅ）ディスプレイ等から構成されてもよい。
【００２３】
発光部１３は、ＣＰＵ７（報知部）により、ＲＴＣ電池３の残量に応じて当該残量を報知可能なように制御される１又は複数の発光素子を有する。発光素子は、例えば、ＬＥＤ（Ｌｉｇｈｔ  Ｅｍｉｔｔｉｎｇ  Ｄｉｏｄｅ）等を含み、発光色や点滅の状況によって報知可能である。具体的には、報知方法として、残量が低下すればするほど、発光素子の点滅スピードを速めたり、赤色で発光させる等の警告表示が実行されてもよい。
【００２４】
主電源１５は、電子機器１００内のＲＴＣ電池３を除く各構成、例えばＣＰＵ７等に電力を供給する。主電源１５は、例えば、リチウムイオン電池等の充電可能な二次電池を含む。
【００２５】
＜報知処理＞
図２〜図６を参照して、ＲＴＣ電池３の残量に応じた報知処理を説明する。図２は、本発明の実施形態に係るＲＴＣ電池３の残量に応じた報知処理の一例を示すフローチャートである。なお、前提として、ＲＴＣ電池３の残量の測定は、残量が多いときは、一日一回の頻度で実行されるが、残量が少ないときは、数時間に一回の頻度で実行されてもよい。
【００２６】
（ステップＳ１）
ＥＣ５は、ＥＣ５のＧＰＩＯ６に接続されたスイッチ部９においてＯＮ制御を行う。例えば、図１に示すように、ＥＣ５は、スイッチ部９を制御することで、ＲＴＣ電池３とＥＣ５とを電気的に接続させる。
【００２７】
（ステップＳ３）
ＥＣ５は、ＲＴＣ電池３の電圧値を測定する。例えば、ＥＣ５のＡＤコンバータは、ＲＴＣ電池３のアナログデータとしての電圧をアナログ／デジタル変換処理してデジタル信号を出力する処理（Ａ／Ｄ変換処理）を開始する。
【００２８】
（ステップＳ５）
ＥＣ５においてＡ／Ｄ変換処理が終了した場合（Ｙｅｓの場合）は、ステップＳ７に進み、Ａ／Ｄ変換処理が終了していない場合（Ｎｏの場合）は、Ａ／Ｄ変換処理が終了するまで当該処理を継続する。
【００２９】
（ステップＳ７）
ＥＣ５は、デジタルデータとして、ＲＴＣ電池３の電圧値を取得する。
【００３０】
（ステップＳ９）
ＥＣ５は、ＥＣ５のＧＰＩＯ６に接続されたスイッチ部９においてＯＦＦ制御を行う。例えば、図１に示すように、ＥＣ５は、スイッチ部９を制御することで、ＲＴＣ電池３とＥＣ５との電気的な接続を解除する。
【００３１】
この構成によれば、ＲＴＣ電池３の電圧値を測定する場合に限り、ＲＴＣ電池３とＥＣ５とを電気的に接続させる。よって、ＲＴＣ電池３の消費電力を抑制できるので、ＲＴＣ電池３の残量低下を抑制することが可能である。
【００３２】
なお、ＥＣ５は、ＲＴＣ電池３の電圧値のばらつきを考慮して、１回の測定処理において複数の電圧値を測定してもよい。
【００３３】
（ステップＳ１１）
ＣＰＵ７（報知部）は、ＲＴＣ電池３の残量に応じた報知を実行する。ＣＰＵ７は、例えば、ＯＳ（オペレーティングシステム）の起動時に、又は、スリープ状態からの復帰時に、ＥＣ５で計測したＲＴＣ電池３の残量の情報をＥＣ５から取得し、当該取得した情報に応じた報知を実行可能にする。報知方法について、具体的に以下で説明する。
【００３４】
図３は、本発明の実施形態に係るＲＴＣ電池の残量テーブルに一例を示す図である。図３の例では、ＲＴＣ電池３の電圧値が３．０００Ｖのときを相対残量１００％、２．０００Ｖのときを相対残量０％として、それらの間が多段階に区分されている。この残量テーブルは、不図示であるが、図１に示す電子機器１００のメモリ部に記録されている。例えば、ＣＰＵ７（報知部）は、図３に示す残量テーブルを参照することにより、ＥＣ５が測定したＲＴＣ電池３の電圧値に基づいて、ＲＴＣ電池３の残量を算出してもよい。なお、ＲＴＣ電池３の残量の算出処理としては、上記に限られず様々な手法を採用することができるが、例えば、ＥＣ５が測定したＲＴＣ電池３の電圧値をＲＴＣ電池３の絶対残量として算出してもよい。
【００３５】
ＣＰＵ７は、ＲＴＣ電池３の残量に応じて異なる形態の残量表示及び警告表示の少なくとも一方が実行されるように図１に示す表示部１１を制御する。
【００３６】
図４は、本発明の実施形態に係る表示部の画面の一例を示す図である。図４（Ａ）に示すように、ＣＰＵ７（報知部）は、ＥＣ５が測定したＲＴＣ電池３の電圧値に基づくＲＴＣ電池３の残量が２０％になったと判定する場合、表示部１１の画面Ｇ１に、テキストＴ１「ＲＴＣ電池の残量は２０％です。」を残量表示として出力する。
【００３７】
図４（Ｂ）に示すように、ＣＰＵ７は、例えば、ＥＣ５が測定したＲＴＣ電池３の電圧値に基づくＲＴＣ電池３の残量が１０％になったと判定する場合、表示部１１の画面Ｇ３に、テキストＴ３「『警告』ＲＴＣ電池の残量が低下していますので電池を取り換えてください。」を警告表示として出力する。
【００３８】
なお、ＣＰＵ７は、図４（Ａ）に示すような残量表示、及び、図４（Ｂ）に示すような警告表示を同時に表示部１１の画面上に出力してもよい。例えば、ＣＰＵ７は、テキスト「ＲＴＣ電池の残量は５％です。」に加えて、テキスト「『警告』ＲＴＣ電池の残量がかなり低下していますので、早く電池を取り換えてください。」を同時に表示部１１の画面上に出力してもよい。また、ＣＰＵ７は、残量表示及び警告表示としてテキストではなく、静止画や動画を採用してもよい。
【００３９】
図５は、本発明の実施形態に係るＲＴＣ電池３の残量に応じた報知の一例を示す図である。図５（Ａ）に示すように、図１に示すＣＰＵ７（報知部）は、ＥＣ５が測定したＲＴＣ電池３の電圧値に基づくＲＴＣ電池３の相対残量２０％を、電池アイコンＩ１を用いて表示部１１において表示してもよい。図５（Ｂ）に示すように、ＣＰＵ７（報知部）は、ＥＣ５が測定したＲＴＣ電池３の電圧値に基づくＲＴＣ電池３の相対残量５０％を、電池アイコンＩ２を用いて表示部１１において表示してもよい。図５（Ｃ）に示すように、ＣＰＵ７（報知部）は、ＥＣ５が測定したＲＴＣ電池３の電圧値に基づく残量として、ＲＴＣ電池３の残り使用時間２ｈを、電池アイコンＩ３を用いて表示部１１において表示してもよい。
【００４０】
この構成によれば、ＲＴＣ電池３の残量を示す画像が表示部１１において表示される。よって、ＲＴＣ電池３の残量を直感的に把握することができる。
【００４１】
図６は、本発明の実施形態に係るＲＴＣ電池３の残量に応じて当該残量を報知可能に発光部１３の各発光素子１３１が制御された一例を示す概念図である。例えば、図６（Ａ）は、ＲＴＣ電池３の残量が１００％であることを示しており、図６（Ｂ）は、ＲＴＣ電池３の残量が約６６％であることを示しており、図６（Ｃ）は、ＲＴＣ電池３の残量が約３３％であることを示しており、図６（Ｄ）は、ＲＴＣ電池３の残量が０％であることを示している。このように、ＲＴＣ電池３の残量の通知は、当該残量の低下にともなって、多段階（例えば４段階）で発光素子１３１を制御することにより実現されてもよい。なお、ＲＴＣ電池３の残量の通知は、３段階以下であってもよいし、ＲＴＣ電池３の残量の通知は、５段階以上であってもよい。
【００４２】
この構成によれば、ＲＴＣ電池３の残量が、各発光素子１３１が発光しているか否か、つまり発光している発光素子の数で表現される。よって、ＲＴＣ電池３の残量を直感的に把握することができる。
【００４３】
以上、本発明の実施形態によれば、ＲＴＣ電池３の電圧値を測定し、測定した電圧値に基づくＲＴＣ電池３の残量に応じた報知を実行する。よって、電子機器１００を分解することなく、ＲＴＣ電池３の残量を容易に把握することができる。したがって、ＲＴＣ電池３の残量を容易に把握することができるので、ＲＴＣ電池３の残量がなくなってしまう前にＲＴＣ電池３を交換することができる。また、電子機器１００を操作するユーザ自身がＲＴＣ電池３を交換することが可能となる。さらに、電子機器１００の生産時又は出荷時等にＲＴＣ電池３の不良を検出することができる。
【００４４】
上記各実施形態は、本発明の理解を容易にするためのものであり、本発明を限定して解釈するものではない。本発明はその趣旨を逸脱することなく、変更／改良され得るとともに、本発明にはその等価物も含まれる。
【００４５】
例えば、図１に示す電子機器１００は、不図示の音声出力部を更に備えてもよい。音声出力部は、例えば、図１に示すＲＴＣ電池３の残量報知を音声出力で行ってもよいし、ＲＴＣ電池３の残量が低下している旨の警告を音声出力で行ってもよい。
【００４６】
この構成によれば、ユーザは、電子機器１００の表示部１１を確認することなく、ＲＴＣ電池３の残量や残量の低下を把握することができる。
【符号の説明】
【００４７】
１…ＲＴＣ、３…ＲＴＣ電池、４…ＡＤコンバータ、５…ＥＣ、６…ＧＰＩＯ、７…ＣＰＵ、９…スイッチ部、１１…表示部、１３…発光部、１５…主電源、１００…電子機器
【図１】
2019211383.tif 000003
【図２】
2019211383.tif 000004
【図３】
2019211383.tif 000005
【図４】
2019211383.tif 000006
【図５】
2019211383.tif 000007
【図６】
2019211383.tif 000008